(57)【要約】【課題】風が吹いているときでも、支障なく使用することができ、かつ、安価に製造することができる玩具花火用点火具を提供する。【解決手段】縄状体（１）に酸化剤を滲入させてなることを特徴とする玩具花火用点火具。酸化剤を滲入させた縄状体（１）を筒状体（３）の中央貫通孔（５）に出し入れ自在に配設し、該縄状体の一端（１ａ）には常時中央貫通孔より突出する操作棒（７）を取り付け、該操作棒を筒状体の長さ方向に動かすことにより該縄状体の他端（１ｂ）を筒状体から出し入れすることができるようにしたことを特徴とする玩具花火用点火具。【選択図】図１
2006138574.tif 000002
【特許請求の範囲】
【請求項１】
縄状体に酸化剤を滲入させてなることを特徴とする玩具花火用点火具。
【請求項２】
酸化剤を滲入させた縄状体を筒状体の中央貫通孔に出し入れ自在に配設し、該縄状体の一端には常時中央貫通孔より突出する操作棒を取り付け、該操作棒を筒状体の長さ方向に動かすことにより該縄状体の他端を筒状体から出し入れすることができるようにしたことを特徴とする玩具花火用点火具。
【請求項３】
酸化剤を滲入させた縄状体を筒状体の中央貫通孔に出し入れ自在に配設し、該縄状体の一端には操作紐を取り付け、該操作紐は縄状体の当該一端から筒状体の中央貫通孔を通過し、筒状体の外側を通って再び縄状体の当該一端に戻るようにループ状に配設し、該操作紐を筒状体の長さ方向に動かすことにより該縄状体の他端を筒状体から出し入れすることができるようにしたことを特徴とする玩具花火用点火具。
【請求項４】
前記縄状体は綿により形成されていることを特徴とする請求項１〜３のいずれかの玩具花火用点火具。
【請求項５】
前記酸化剤は硝酸カリウムであることを特徴とする請求項１〜４のいずれかの玩具花火用点火具。
【発明の詳細な説明】
【技術分野】
【０００１】
本発明は、玩具花火用点火具に関するものであり、例えばスパークラー、ススキ、噴き出し花火、ロケット花火等の玩具花火に点火するための玩具花火用点火具に係るものである。
【背景技術】
【０００２】
玩具花火用点火具としては、ロウソクが広く使用されている。
【０００３】
特開平８−７５３９９号公報は、バッテリーを備えた電気ヒータよりなる玩具花火用点火具を開示している。
【特許文献１】特開平８−７５３９９号公報
【発明の開示】
【発明が解決しようとする課題】
【０００４】
玩具花火用点火具は屋外で使用されるものであるが、ロウソクの火は、風により容易に消えてしまうという欠点がある。
【０００５】
一方、特開平８−７５３９９号公報に開示されている玩具花火用点火具としての電気ヒータは、製造コストが嵩むという問題がある。また、玩具花火用点火具としての電気ヒタは、屋外の暗所で使用するものであるため、電気ヒータのスイッチ操作等が容易ではないという問題もある。
【０００６】
本発明は、上記従来の玩具花火用点火具における上述の如き問題を解決しようとしてなされたものである。
【課題を解決するための手段】
【０００７】
上記課題を解決するために、本発明は、下記の玩具花火用点火具を提供する。
【０００８】
（１）縄状体に酸化剤を滲入させてなることを特徴とする玩具花火用点火具（請求項１）。
【０００９】
（２）酸化剤を滲入させた縄状体を筒状体の中央貫通孔に出し入れ自在に配設し、該縄状体の一端には常時中央貫通孔より突出する操作棒を取り付け、該操作棒を筒状体の長さ方向に動かすことにより該縄状体の他端を筒状体から出し入れすることができるようにしたことを特徴とする玩具花火用点火具（請求項２）。
【００１０】
（３）酸化剤を滲入させた縄状体を筒状体の中央貫通孔に出し入れ自在に配設し、該縄状体の一端には操作紐を取り付け、該操作紐は縄状体の当該一端から筒状体の中央貫通孔を通過し、筒状体の外側を通って再び縄状体の当該一端に戻るようにループ状に配設し、該操作紐を筒状体の長さ方向に動かすことにより該縄状体の他端を筒状体から出し入れすることができるようにしたことを特徴とする玩具花火用点火具（請求項３）。
【００１１】
（４）前記縄状体は綿により形成されている（請求項４）。
【００１２】
（５）前記酸化剤は硝酸カリウムである（請求項５）。
【００１３】
［発明の作用］
［請求項１の発明］
玩具花火用点火具の使用時には、縄状体の一端にマッチ等により点火する。縄状体の当該一端は燃焼する。玩具花火を当該一端に近づけることにより、該玩具花火に点火することができる。酸化剤は縄状体が燃焼する際の酸素供給作用をなす。
【００１４】
酸化剤を滲入させた縄状体は、一旦着火した後は、マッチ等の火から離しても燃焼を持続する自己燃焼性を有する。
【００１５】
［請求項２の発明］
縄状体の一端に取り付けた操作棒を筒状体の長さ方向に動かすと、縄状体は筒状体の長さ方向に進退する。玩具花火用点火具の使用時には、操作棒を筒状体の長さ方向に押すことにより、縄状体の他端を筒状体から突出させる。この状態で、縄状体の当該他端にマッチ等により点火し、当該他端を燃焼させる。図１、図２参照。
【００１６】
操作棒を前記と反対方向に引いたときには、燃焼している縄状体の前記他端は筒状体の中央貫通孔内に没入し、消火する。図３参照。
【００１７】
［請求項３の発明］
縄状体の一端に取り付けた操作紐を筒状体の長さ方向に動かすと、縄状体は筒状体の長さ方向に進退する。玩具花火用点火具の使用時には、操作紐を筒状体の長さ方向に動かすことにより、縄状体の他端を筒状体から突出させる。この状態で、縄状体の当該他端にマッチ等により点火し、当該他端を燃焼させる。図４、図５参照。
【００１８】
操作紐を前記と反対方向に動かしたときには、燃焼している縄状体の前記他端は筒状体の中央貫通孔内に没入し、消火する。図６参照。
【００１９】
［請求項４の発明］
縄状体は綿により形成されているため、該縄状体はゆっくり燃焼する。
【００２０】
［請求項５の発明］
酸化剤として縄状態に滲入させた硝酸カリウムは、縄状体を好ましく燃焼させる。
【発明の効果】
【００２１】
本発明は、次のような優れた効果を発揮する。
【００２２】
（イ）本発明による玩具花火用点火具は、縄状体に酸化剤を滲入させているめ、燃焼時に風が吹いても、縄状体の火が消えることはない。即ち、この玩具花火用点火具は、風が吹いているときでも、支障なく使用することができる。
【００２３】
（ロ）本発明による玩具花火用点火具は、縄状体に酸化剤を滲入させているため、ゆっくり燃焼する。換言すれば、この玩具花火用点火具は、長時間にわたって使用することができる。
【００２４】
（ハ）本発明による玩具花火用点火具は、極めて安価に製造することができる。
【００２５】
（ニ）本発明による玩具花火用点火具は、軽量かつコンパクトであるため、収納、運搬等が容易である。
【００２６】
（ホ）筒状体を用いた場合には、該筒状体を手に持って玩具花火に点火することができるため、筒状体から突出する縄状体の前記他端の位置を筒状体により確実に制御することができると共に、点火時に手と玩具花火との間に十分な距離を保つことができる。即ち、この玩具花火用点火具は十分な安全性を有する。
【発明を実施するための最良の形態】
【００２７】
符号１に示すものは縄状体である。縄状体１は、好ましくは、綿、麻等により形成した組紐とする。縄状体１は、例えば、直径約５〜１０ｍｍとする。
【００２８】
縄状体１には酸化剤を滲入させる。
【００２９】
酸化剤としては、例えば、硝酸カリウム、過塩素酸カリウム、過塩素酸アンモニウムを用いる。
【００３０】
縄状体１に酸化剤を滲入させるに当っては、一例として、水１００重量部中に上記酸化剤２〜１０重量部を溶かして水溶液となし、該水溶液中に縄状体１を浸漬した後、該縄状体１を天日により又は乾燥室内で乾燥させる。
【００３１】
次に、図１〜図３に示す事例について説明する。
【００３２】
酸化剤を滲入させた縄状体１を筒状体３の中央貫通孔５に出し入れ自在に配設する。筒状体３は、例えば、紙、合成樹脂等により形成する。
【００３３】
縄状体１の一端１ａには常時中央貫通孔５より突出する操作棒７を取り付ける。即ち、操作棒７の一端７ａを縄状体１の当該一端１ａに固定する。
【００３４】
操作棒７は筒状体３の長さ方向に移動自在であり、操作棒７の他端７ｂは常時筒状体３から突出している。
【００３５】
操作棒７を筒状体３の長さ方向に動かすことにより縄状体１の他端１ｂを筒状体３から出し入れすることができるようになす。
【００３６】
操作棒７は、例えば、木、合成樹脂等により形成する。
【００３７】
次に、図４〜図６に示す事例について説明する。
【００３８】
酸化剤を滲入させた縄状体１を筒状体３の中央貫通孔５に出し入れ自在に配設する。筒状体３は、例えば、紙、合成樹脂等により形成する。
【００３９】
縄状体１の一端１ａには操作紐９を取り付ける。符号９ａに示すものは、操作紐９が縄状体１の一端１ａに固定された固定点である。
【００４０】
操作紐９は縄状体１の当該一端１ａから筒状体３の中央貫通孔５を通過し、筒状体３の外側を通って再び縄状体１の当該一端１ａに戻るようにループ状に配設する。
【００４１】
操作紐９を筒状体３の長さ方向に動かすことにより該縄状体１の他端１ｂを筒状体３から出し入れすることができるようになす。
【図面の簡単な説明】
【００４２】
【図１】本発明による玩具花火用点火具の一例を示す斜視図である。
【図２】同上玩具花火用点火具における縄状体の他端を筒状体から突出させた状態を示す断面図である。
【図３】同上玩具花火用点火具における縄状体の他端を筒状体内に没入させた状態を示す断面図である。
【図４】本発明による玩具花火用点火具の別の一例を示す斜視図である。
【図５】同上玩具花火用点火具における縄状体の他端を筒状体から突出させた状態を示す断面図である。
【図６】同上玩具花火用点火具における縄状体の他端を筒状体内に没入させた状態を示す断面図である。
【符号の説明】
【００４３】
１  縄状体
１ａ  一端
１ｂ  他端
３  筒状体
５  中央貫通孔
７  操作棒
７ａ  一端
７ｂ  他端
９  操作紐
９ａ  固定点
【図１】
2006138574.tif 000003
【図２】
2006138574.tif 000004
【図３】
2006138574.tif 000005
【図４】
2006138574.tif 000006
【図５】
2006138574.tif 000007
【図６】
2006138574.tif 000008